(57)【特許請求の範囲】
【請求項１】
表裏両面の映像表示面と、これら表裏両面の映像表示面に対して共通内容の映像コンテンツが表示されるように当該映像表示面の表示状態を制御する制御手段と、を備え、  前記表裏両面の映像表示面は、  同じ寸法又は異なる寸法の映像表示面を表面に備えてなる第１の平面ディスプレイと第２の平面ディスプレイそれぞれの裏面どうしが対向することによって設けられる構造になっており、  前記制御手段は、  複数の映像コンテンツを縦横方向にマトリックス状に並べて前記第２の平面ディスプレイの前記映像表示面に個別表示する第１の機能と、  前記第１の機能で個別表示される前記複数の映像コンテンツの中から代表として一つの映像コンテンツが繰り返し順次ピックアップされ、ピックアップされた映像コンテンツ又はその一部若しくは該映像コンテンツに対応し関連する情報を前記第１の平面ディスプレイの前記映像表示面全体に拡大し代表表示としてピックアップ順に全面表示する第２の機能と、を備え、  前記第１および第２の機能によって、前記第１および第２の平面ディスプレイにおけるそれぞれの前記映像表示面には、共通内容の映像コンテンツが表示されること  を特徴とするディスプレイ装置。
【請求項２】
前記第２の平面ディスプレイは、前記第１の平面ディスプレイに比べて縦横寸法の小さい小型ディスプレイを、前記第１の平面ディスプレイの縦横方向に沿って複数並べて配置したマトリックス構造になっていること  を特徴とする請求項１に記載のディスプレイ装置。
【請求項３】
前記制御手段は、  前記第２の平面ディスプレイを構成する複数の前記小型ディスプレイごとに、それぞれの映像表示面に映像コンテンツを個別表示する機能と、  前記複数の小型ディスプレイと同じ並び方で同じ内容、同じサイズの映像コンテンツを前記第１の平面ディスプレイの前記映像表示面に一括表示する機能と、を備えること  を特徴とする請求項２に記載のディスプレイ装置。
【請求項４】
前記制御手段は、  前記第２の平面ディスプレイを構成する複数の前記小型ディスプレイごとに、それぞれの映像表示面に映像コンテンツを個別表示する第１の機能と、  前記第１の機能で個別表示される前記複数の映像コンテンツの中から代表として一つの映像コンテンツが繰り返し順次ピックアップされ、ピックアップされた映像コンテンツ又はその一部若しくは該映像コンテンツに対応し関連する情報を前記第１の平面ディスプレイの前記映像表示面全体に拡大し代表表示としてピックアップ順に全面表示する第２の機能と、を備え、  前記第１および第２の機能によって、前記第１および第２の平面ディスプレイにおけるそれぞれの前記映像表示面には、共通内容の映像コンテンツが表示されること  を特徴とする請求項２に記載のディスプレイ装置。
【請求項５】
前記第２の平面ディスプレイは、  その映像表示面に表示されている映像コンテンツを選択可能とするタッチパネルを具備し、  前記制御手段は、さらに、  前記タッチパネルの操作によって選択された映像コンテンツと関連する別の映像コンテンツを、前記第２の平面ディスプレイの前記映像表示面に表示する機能を備えること  を特徴とする請求項１ないし４のいずれか１項に記載のディスプレイ装置。
【請求項６】
前記第１の平面ディスプレイは、前記映像コンテンツを屋外に向けに放映する情報発信源として、高輝度ＬＥＤビジョン又は高輝度モデルの液晶ディスプレイ若しくは有機ＥＬディスプレイからなり、  前記第２の平面ディスプレイは、前記映像コンテンツを屋内向けに放映する情報発信源として、液晶ディスプレイ、ＬＥＤディスプレイ、又は有機ＥＬディスプレイからなること  を特徴とする請求項１ないし４のいずれか１項に記載のディスプレイ装置。
【請求項７】
前記高輝度ＬＥＤビジョン、前記有機ＥＬディスプレイ、又は前記液晶ディスプレイは透過性を有すること  を特徴とする請求項６に記載のディスプレイ装置。
【請求項８】
前記第１の平面ディスプレイ全体の縦横寸法と、前記第２の平面ディスプレイ全体の縦横寸法は、一致するように対応していること  を特徴とする請求項１ないし４のいずれか１項に記載のディスプレイ装置。
【請求項９】
前記第１の平面ディスプレイおよび前記第２の平面ディスプレイで表示される映像コンテンツは、不動産関係の広告映像であること  を特徴とする請求項１ないし８のいずれか１項に記載のディスプレイ装置。 
【発明の詳細な説明】
【技術分野】
【０００１】
本発明は、店舗の店内と店外で共通の映像コンテンツを視聴することが可能な宣伝広告効果の高いディスプレイ装置に関する。
【背景技術】
【０００２】
近年、駅や商店街等、人通りの多い場所では、情報広告媒体として、デジタルサイネージ（電子看板）の設置が進んでいる。例えば、ネットワーク対応のデジタルサイネージでは、公衆回線を利用して広告配信元から映像や文字等の情報を受信し、受信した情報を平面ディスプレイの映像表示面に表示している（例えば特許文献１を参照）。
【０００３】
しかしながら、従来のデジタルサイネージは、店舗の入口に置かれる、又は、例えば特許文献１の例のようにコンビニエンスストア等の店舗の外壁面や窓に取り付けられ、そのように置かれた場所や取付けられた場所から店外に向けて映像コンテンツを放映するだけであり、店舗の店内と店外で共通の映像コンテンツを視聴することが可能な宣伝広告効果の高いディスプレイ装置は、従来見当たらない。
【先行技術文献】
【特許文献】
【０００４】
【特許文献１】特開２０１７−２０４１２４号公報
【発明の概要】
【発明が解決しようとする課題】
【０００５】
本発明は前記問題点を解決するためになされたものであり、その目的は、店舗の店内と店外で共通の映像コンテンツを視聴することが可能な宣伝広告効果の高いディスプレイ装置を提供することである。
【課題を解決するための手段】
【０００７】 前記目的を達成するために、本発明は、表裏両面の映像表示面と、これら表裏両面の映像表示面に対して共通内容の映像コンテンツが表示されるように当該映像表示面の表示状態を制御する制御手段と、を備え、前記表裏両面の映像表示面は、同じ寸法又は異なる寸法の映像表示面を表面に備えてなる第１の平面ディスプレイと第２の平面ディスプレイそれぞれの裏面どうしが対向することによって設けられる構造になっており、前記制御手段は、複数の映像コンテンツを縦横方向にマトリックス状に並べて前記第２の平面ディスプレイの前記映像表示面に個別表示する第１の機能と、前記第１の機能で個別表示される前記複数の映像コンテンツの中から代表として一つの映像コンテンツが繰り返し順次ピックアップされ、ピックアップされた映像コンテンツ又はその一部若しくは該映像コンテンツに対応し関連する情報を前記第１の平面ディスプレイの前記映像表示面全体に拡大し代表表示としてピックアップ順に全面表示する第２の機能と、を備え、前記第１および第２の機能によって、前記第１および第２の平面ディスプレイにおけるそれぞれの前記映像表示面には、共通内容の映像コンテンツが表示されることを特徴とする。【０００８】
前記本発明において、前記第２の平面ディスプレイは、前記第１の平面ディスプレイに比べて縦横寸法の小さい小型ディスプレイを、前記第１の平面ディスプレイの縦横方向に沿って複数並べて配置したマトリックス構造になっていることを特徴としてもよい。
【０００９】
前記本発明において、前記制御手段は、前記第２の平面ディスプレイを構成する複数の前記小型ディスプレイごとに、それぞれの映像表示面に映像コンテンツを個別表示する機能と、前記複数の小型ディスプレイと同じ並び方で同じ内容、同じサイズの映像コンテンツを前記第１の平面ディスプレイの前記映像表示面に一括表示する機能と、を備えることを特徴としてもよい。
【００１０】
前記本発明において、前記制御手段は、前記第２の平面ディスプレイを構成する複数の前記小型ディスプレイごとに、それぞれの映像表示面に映像コンテンツを個別表示する第１の機能と、前記第１の機能で個別表示される前記複数の映像コンテンツの中から代表として一つの映像コンテンツが繰り返し順次ピックアップされ、ピックアップされた映像コンテンツ又はその一部若しくは該映像コンテンツに対応し関連する情報を前記第１の平面ディスプレイの前記映像表示面全体に拡大し代表表示としてピックアップ順に全面表示する第２の機能と、を備え、前記第１および第２の機能によって、前記第１および第２の平面ディスプレイにおけるそれぞれの前記映像表示面には、共通内容の映像コンテンツが表示されることを特徴としてもよい。
【００１１】
前記本発明において、前記第２の平面ディスプレイは、その映像表示面に表示されている映像コンテンツを選択可能とするタッチパネルを具備し、前記制御手段は、さらに、前記タッチパネルの操作によって選択された映像コンテンツと関連する別の映像コンテンツを、前記第２の平面ディスプレイの前記映像表示面に表示する機能を備えることを特徴としてもよい。
【００１２】
前記本発明において、前記第１の平面ディスプレイは、前記映像コンテンツを屋外に向けに放映する情報発信源として、高輝度ＬＥＤビジョン又は高輝度モデルの液晶ディスプレイ若しくは有機ＥＬディスプレイからなり、前記第２の平面ディスプレイは、前記映像コンテンツを屋内向けに放映する情報発信源として、液晶ディスプレイ、ＬＥＤディスプレイ、又は有機ＥＬディスプレイからなることを特徴としてもよい。
【００１３】
前記本発明において、前記高輝度ＬＥＤビジョン、前記有機ＥＬディスプレイ、又は前記液晶ディスプレイは透過性を有することを特徴としてもよい。
【００１４】
前記本発明において、前記第１の平面ディスプレイ全体の縦横寸法と、前記第２の平面ディスプレイ全体の縦横寸法は、一致するように対応していることを特徴としてもよい。
【００１５】
前記本発明において、前記第１の平面ディスプレイおよび前記第２の平面ディスプレイで表示される映像コンテンツは、不動産関係の広告映像であることを特徴としてもよい。
【００１６】
通常、テレビやパソコンモニターの明るさ（輝度）は４００ｃｄ程度であるから、前述の高輝度ＬＥＤビジョン又は高輝度モデルの液晶ディスプレイとは、少なくともそれを超える輝度を有するものとする。この点は以下の説明でも同様である。
【発明の効果】
【００１７】
本発明では、ディスプレイ装置の具体的な構成として、前述の通り、かかるディスプレイ装置は、表裏両面の映像表示面と、これら表裏両面の映像表示面に対して共通内容の映像コンテンツが表示されるように当該映像表示面の表示状態を制御する制御手段と、を備えてなる構成を採用したため、かかるディスプレイ装置を例えば店舗の正面ＦＩＸガラス窓付近に設置することで、店舗の店内と店外で共通の映像コンテンツを視聴することが可能な宣伝広告効果の高いディスプレイ装置を提供し得る。
【図面の簡単な説明】
【００１８】
【図１】（ａ）は本発明の第１の実施形態であるディスプレイ装置を正面からみたときの概念図、（ｂ）はそのディスプレイ装置の裏面概念図。
【図２】（ａ）は図１のディスプレイ装置を構成する第1の平面ディスプレイでの他の表示例の説明図、同図（ｂ）はそのディスプレイ装置を構成する第2の平面ディスプレイでの表示例の説明図。
【図３】（ａ）は本発明の第２の実施形態であるディスプレイ装置を正面からみたときの斜視概念図、（ｂ）はそのディスプレイ装置の裏面斜視概念図。
【図４】（ａ）は図３のディスプレイ装置を構成する第1の平面ディスプレイでの他の表示例の説明図、同図（ｂ）はそのディスプレイ装置を構成する第2の平面ディスプレイでの表示例の説明図。
【図５】図３のディスプレイ装置を構成する制御手段の説明図。
【図６】図３のディスプレイ装置を構成する制御手段の説明図。
【発明を実施するための最良の形態】
【００１９】
以下、本発明を実施するための最良の形態について、添付した図面を参照しながら詳細に説明する。
【００２０】
図１（ａ）は、本発明の第１の実施形態であるディスプレイ装置を正面からみたときの概念図、同図（ｂ）は、そのディスプレイ装置の裏面概念図である。また、図３（ａ）は本発明の第２の実施形態であるディスプレイ装置を正面からみたときの斜視概念図、同図（ｂ）は、そのディスプレイ装置の裏面斜視概念図である。なお、図３では紙面の都合により制御手段３の図示を省略している。
【００２１】
《第１および第２の実施形態における共通の基本構成》
図１（ａ）（ｂ）および図３（ａ）（ｂ）を参照すると、本実施形態のディスプレイ装置Ｄ（以下「本ディスプレイ装置Ｄ」という）は、その基本構成として、表裏両面の映像表示面１、２と、これら表裏両面の映像表示面１、２に対して共通内容の映像コンテンツＣが表示されるように当該映像表示面１、２の表示状態を制御する制御手段３と、を有している。本ディスプレイ装置Ｄの主たる用途は、宣伝広告情報を表示する電子看板、いわゆるデジタルサイネージとしての利用である。
【００２２】
《表裏両面の映像表示面１、２の詳細構成》
前記表裏両面の映像表示面１、２を得る具体的な手段として、本ディスプレイ装置Ｄでは、かかる映像表示面を表面に備えた第１の平面ディスプレイＤ１と第２の平面ディスプレイＤ２を用意し、これら２つの平面ディスプレイＤ１、Ｄ２の裏面、つまり映像表示面と反対の面どうしが対向し金具（図示省略）で連結される方式を採用してもよい。金具以外の他の連結手段によって２つの平面ディスプレイＤ１、Ｄ２が連結される方式を採用してもよい。
【００２３】
前記のような第１及び第２の平面ディスプレイＤ１、Ｄ２からなる本ディスプレイ装置Ｄは、予め設置するサッシ寸法の規格に合わせて製造し、工場で組立ての作業（具体的には、第１の平面ディスプレイＤ１と第２の平面ディスプレイＤ２とを連結する作業等）を行い、組立て完了後の本ディスプレイ装置Ｄを一台のディスプレイセットとして販売してもよいし、そのような連結等の組立て作業は、本ディスプレイ装置の設置現場で行ってもよい。
【００２４】
さらに、前記のような表裏両面の映像表示面１、２については、例えば、表面に映像表示面を有し、かつ、ヒンジを介して折畳み可能な一枚の平面ディスプレイ（図示省略）を作成し、それを折り畳むことによって設けられる方式を採用してもよい。
【００２５】
また、本ディスプレイ装置Ｄでは、第１の平面ディスプレイＤ１全体の縦横寸法と第２の平面ディスプレイＤ２全体の縦横寸法が一致するように対応している構成を採用することで、２枚の平面ディスプレイＤ１、Ｄ２であっても全体として１枚のディスプレイ装置として見えるように構成している。
【００２６】
本ディスプレイ装置Ｄの場合、第１の平面ディスプレイＤ１は、映像コンテンツＣを屋外向けに放映する情報発信源として、高輝度ＬＥＤビジョンからなる構成を採用し、第２の平面ディスプレイＤ２については、映像コンテンツＣを屋内向けに放映する情報発信源として、有機ＥＬディスプレイまたは液晶ディスプレイからなる構成を採用した。
【００２７】
その採用理由は要するに、屋外と屋内では日光の影響によって映像コンテンツＣの視認性が異なり、一般的に日光が当たる場所では有機ＥＬディスプレイや液晶ディスプレイよりも高輝度ＬＥＤビジョンの方が映像コンテンツＣの視認性はよいためである。
【００２８】
なお、前述の視認性を確保できるなら、他の実施形態として、第１の平面ディスプレイＤ１では、高輝度ＬＥＤビジョンの代わりに、高輝度モデルまたはそれより輝度の低い液晶ディスプレイあるいは有機ＥＬディスプレイを採用することも可能である。
【００２９】
高輝度ＬＥＤビジョン、有機ＥＬディスプレイ、および、液晶ディスプレイ（前述の他の実施形態である高輝度モデルの液晶ディスプレイも含む。）は、いずれも市販品を採用することができる。市販されている高輝度ＬＥＤビジョンの中には、透過性を有するタイプと有しないタイプがあり、いずれのタイプの高輝度ＬＥＤビジョンを第１の平面ディスプレイＤ１として採用してもよい。
【００３０】
また、現在、透過型有機ＥＬディスプレイも開発されており、このような透過性・有機ＥＬディスプレイを第２の平面ディスプレイＤ２として採用してもよい。
【００３１】
第１の平面ディスプレイＤ１の具体的な実施例として、本ディスプレイ装置Ｄでは、開状態の羽根（スラット）型ブラインドカーテンのような多段の羽根に高輝度ＬＥＤ素子を取付けた構造になっている市販の透過性・高輝度ＬＥＤビジョン（以下「ブラインド型シースルービジョン」という）を、第１の平面ディスプレイＤ１で採用した。
【００３２】
また、前記のようなブラインド型シースルービジョンの採用と一緒に、本ディスプレイ装置Ｄでは、第２の平面ディスプレイＤ２として透過性・有機ＥＬディスプレイまたはブラインド型シースルービジョンを採用することもでき、このようなダブル透過性ディスプレイ構成を採用した場合には、本ディスプレイ装置Ｄをその裏側（例えば、室内）からみたときに、ディスプレイ装置であるのにあたかもブラインドのように見える等、意匠的にも優れた見栄えのよいディスプレイ装置が得られる。さらに、前記のようなダブル透過性ディスプレイ構成では、表側（第１の平面ディスプレイＤ１側）に表示される映像コンテンツが裏側（第２の平面ディスプレイＤ２側）に透けて見えるので、裏側から表側の映像コンテンツも見ることができる等の利点もある。
【００３３】
《本ディスプレイ装置Ｄの第１の実施形態（第１実施形態）》
図１（ｂ）を参照すると、本ディスプレイ装置Ｄの第１の実施形態（以下「第１実施形態」という）では、表裏両面の映像表示面１、２は、同じ寸法の映像表示面１、２を表面に備えてなる第１の平面ディスプレイＤ１と第２の平面ディスプレイＤ２それぞれの裏面どうしが対向することによって設けられる構造になっている。
【００３４】
この第１実施形態の変形例として、例えば第１の平面ディスプレイＤ１の映像表示面１に比べて第２の平面ディスプレイＤ２の映像表示面２の方が縦横の寸法が小さい等、第１の平面ディスプレイＤ１と第２の平面ディスプレイＤ２それぞれの映像表示面１、２はその縦横が異なる寸法であってもよい。この場合、映像表示面２を含む第２の平面ディスプレイＤ２全体の大きさもまた、第１の平面ディスプレイＤ１全体の大きさに比べて小型であってもよく、この場合に生じる２つの平面ディスプレイＤ１、Ｄ２全体の大きさの相違は、その相違を埋めるための枠を第２の平面ディスプレイＤ２に取り付けることで吸収してもよい。
【００３５】
《第１実施形態における制御手段３の機能構成例》
第１実施形態における制御手段３は、下記『第１の機能Ｆ１−１』および『第２の機能Ｆ１−２』を備えるものとして構成してもよい。これらの機能に加えてさらに、下記『第３の機能Ｆ１−３』や下記『第４の機能Ｆ１−４』を備えてもよい。
【００３６】
・第１の機能Ｆ１−１
第１の機能Ｆ１−１は、図１（ｂ）のように複数の映像コンテンツＣを縦横方向にマトリックス状に並べて第２の平面ディスプレイＤ２の映像表示面２に個別表示する機能である。
【００３７】
・第２の機能Ｆ１−２
第２の機能Ｆ１−２は、前記第１の機能Ｆ１−１で個別表示される複数の映像コンテンツＣ、すなわち、第２の平面ディスプレイＤ２の映像表示面２にマトリックス状に並べて表示される複数の映像コンテンツＣの中から、代表として一つの映像コンテンツが繰り返し順次ピックアップされ、ピックアップされた映像コンテンツ（図１（ａ）の映像コンテンツＣを参照）、又は、その一部、若しくは、該映像コンテンツに対応し関連する情報を第１の平面ディスプレイＤ１の映像表示面１全体に拡大し代表表示としてピックアップ順に全面表示する（図１（ａ）参照）機能である。
【００３８】
なお、前記第２の機能Ｆ１−２において、映像コンテンツＣのピックアップについては第２の平面ディスプレイＤ２の映像表示面２に並べて表示される映像コンテンツＣの並び順に行われてもよいし、その並び順とは無関係にランダムに行われてもよい。
【００３９】
・第３の機能Ｆ１−３
図２（ａ）は図１のディスプレイ装置を構成する第1の平面ディスプレイでの他の表示例の説明図、同図（ｂ）はそのディスプレイ装置を構成する第2の平面ディスプレイである。
【００４０】
第３の機能Ｆ１−３は、第２の平面ディスプレイＤ２の映像表示面２に表示される映像コンテンツＣ（図１（ｂ）と図２（ｂ）参照）と同じ並び方で同じ内容、同じサイズの映像コンテンツを、図２（ａ）のように第１の平面ディスプレイＤ１の映像表示面１全体に一括表示する機能である。
【００４１】
・第４の機能Ｆ１−４
第４の機能Ｆ１−４は、第１の平面ディスプレイＤ１の映像表示面１において、前述の第１の機能Ｆ１−２による代表表示と前述の第３の機能Ｆ１−３による一括表示とを繰り返し定期的に切替える機能である。
【００４２】
《前記第１の機能Ｆ１−１の実施例》
前記第１の機能Ｆ１−１は、具体的には下記構成Ｆ１−１Ａ、構成Ｆ１−１Ｂ、および構成Ｆ１−１Ｃを採用することによって実現可能である。
【００４３】
・構成Ｆ１−１Ａ
構成Ｆ１−１Ａは、図１（ｂ）に示したように、制御手段３として、例えば映像出力端子とウエブブラウザを搭載した市販のパーソナルコンピュータからなる第１の端末３Ａを採用し、第１の端末３Ａの映像出力端子を第２の平面ディスプレイＤ２の映像入力端子に接続するものである。
【００４４】
・構成Ｆ１−１Ｂ
構成Ｆ１−１Ｂは、図１（ｂ）のように複数の映像コンテンツＣを縦横方向にマトリックス状に並べてウエブブラウザ上で閲覧可能となるように所定のプログラミング言語（例えば、ｈｔｍｌ言語やＰＨＰ言語等）で作成したウエブサイトＳ１（以下「第１のサイトＳ１」という）を用意し、この第１のサイトＳ１を前記第１の端末３Ａのウエブブラウザで閲覧表示するものである。
【００４５】
・構成Ｆ１−１Ｃ
構成Ｆ１−１Ｃは、第１の端末３Ａの映像出力端子から第２の平面ディスプレイＤ２の映像入力端子に対して、第１の端末３Ａのウエブブラウザでの閲覧表示データを出力することにより、そのウエブブラウザでの閲覧表示状態が第２の平面ディスプレイＤ２の映像表示面に表示されるものとする。
【００４６】
《前記第２の機能Ｆ１−２の実施例》
前記第２の機能Ｆ１−２は、具体的には下記３つの構成（構成Ｆ１−２Ａ、構成Ｆ１−２Ｂ、および構成Ｆ１−２Ｃ）を採用することで実現可能である。
【００４７】
・構成Ｆ１−２Ａ
構成Ｆ１−２Ａは、図１（ａ）に示したように、制御手段３として、さらに前記第１の端末３Ａと同等スペックの第２の端末３Ｂを追加で採用し、その第２の端末３Ｂの映像出力端子（図示省略）を第１の平面ディスプレイＤ１の映像入力端子（図示省略）に接続するものである。
【００４８】
・構成Ｆ１−２Ｂ
構成Ｆ１−２Ｂは、前記第１の機能Ｆ１−１によって個別表示される複数の映像コンテンツ（図１（ｂ）参照）の中から代表として一つの映像コンテンツ（図１（ａ）参照）が例えばスライド形式で繰り返し順次ピックアップされるようにＪａｖａＳｃｒｉｐｔ（登録商標）やｈｔｍｌ言語あるいはＰＨＰ言語でプログラミングされたウエブサイト（以下「第２のウエブサイト」という）を用意し、その第２のウエブサイトを第２の端末３Ｂのウエブブラウザで閲覧表示するものである。
【００４９】
・構成Ｆ１−２Ｃ：
構成Ｆ１−２Ｃは、第２の端末３Ｂの映像出力端子から第１の平面ディスプレイＤ１の映像入力端子に対して、第２の端末３Ｂのウエブブラウザでの閲覧表示データを出力することにより、そのウエブブラウザでの閲覧表示状態が第１の平面ディスプレイＤ１の映像表示面１に表示されるものとする。
【００５０】
《前記第３の機能Ｆ１−３の実施例》
前記第３の機能Ｆ１−３は、具体的には下記構成Ｆ１−３Ａおよび構成Ｆ１−３Ｂを採用することで実現可能である。
【００５１】
・構成Ｆ１−３Ａ
構成Ｆ１−３Ａは、前述の第１のサイトＳ１を前記第２の端末３Ｂのウエブブラウザで閲覧表示する機能である。
【００５２】
・構成Ｆ１−３Ｂ：
構成Ｆ１−３Ｂは、図１（ａ）に示したように、第２の端末３Ｂの映像出力端子から第１の平面ディスプレイＤ１の映像入力端子に対して、第２の端末３Ｂのウエブブラウザでの閲覧表示データを出力することにより、そのウエブブラウザでの閲覧表示状態が第１の平面ディスプレイＤ１の映像表示面１に表示されるものとする。
【００５３】
《第１実施形態における制御手段３の他の実施例》
先に説明した第１実施形態における制御手段３の構成端末、すなわち、第１および第２の端末３Ａ、３Ｂは、映像出力端子を少なくとも２つ備えた一台のパーソナルコンピュータで構成することもできる。この場合、その２つの映像出力端子のうち、第１の映像出力端子は第１の平面ディスプレイＤ１の映像入力端子に接続し、第２の映像出力端子は第２の平面ディスプレイＤ２の映像入力端子に接続するとともに、各映像出力端子から対応する映像入力端子に対して個別に、前述のウエブブラウザでの閲覧表示データが出力されるように構成する。
【００５４】
《本ディスプレイ装置Ｄの第２の実施形態（第２実施形態）》
図３（ｂ）に示したように、本ディスプレイ装置Ｄの第２の実施形態（以下「第２実施形態」という）では、第２の平面ディスプレイＤ２は、第１の平面ディスプレイＤ１に比べて縦横寸法の小さい小型ディスプレイＤ２１、Ｄ２２…Ｄ２ｎを、第１の平面ディスプレイＤ１の縦横方向に沿って複数並べて配置した構造（マトリックス構造）を採用している。
【００５５】
小型ディスプレイＤ２１、Ｄ２２…Ｄ２ｎは、映像コンテンツＣを屋内向けに放映する情報発信源として、有機ＥＬディスプレイまたは液晶ディスプレイを採用したが、これに限定されることはない。その小型ディスプレイＤ２１、Ｄ２２…Ｄ２ｎとして、例えば第１の平面ディスプレイＤ１で採用するＬＥＤビジョンよりも小型のＬＥＤディスプレイを採用してもよい。
【００５６】
《第２実施形態における制御手段３の機能構成例》
第２実施形態における制御手段３は、下記『第１の機能Ｆ２−１』および『第２の機能Ｆ２−２』を備えるものとして構成してもよい。
【００５７】
・第１の機能Ｆ２−１：
第１の機能Ｆ２−１は、図３（ｂ）に示したように、第２の平面ディスプレイＤ２を構成する複数の小型ディスプレイＤ２１、Ｄ２２…Ｄ２ｎごとに、それぞれの映像表示面に映像コンテンツＣを個別表示する機能である。
【００５８】
・第２の機能Ｆ２−２：
第２の機能Ｆ２−２は、前記第１の機能Ｆ２−１で個別表示される複数の映像コンテンツＣ、すなわち、第２の平面ディスプレイＤ２で個別表示される映像コンテンツＣ（具体的には、小型ディスプレイＤ２１、Ｄ２２…Ｄ２ｎごとにその映像表示面に個別表示される映像コンテンツＣ）の中から、代表として一つの映像コンテンツが繰り返し順次ピックアップされ、そのピックアップされた映像コンテンツ、又は、その一部、若しくは、その映像コンテンツＣに対応し関連する情報を、第１の平面ディスプレイＤ１の映像表示面１全体に拡大し（図３（ａ）参照）代表表示としてピックアップ順に全面表示する機能である。
【００５９】
前記第２の機能Ｆ２−２において、映像コンテンツＣのピックアップについては、小型ディスプレイＤ２１、Ｄ２２…Ｄ２ｎの並びの順にピックアップする方式、又は、その並びの順に拘束されないランダムなピックアップ方式が考えられるが、これらの方法に限定されることはない。
【００６０】
《前記第１の機能Ｆ２−１の実施例》
前記第１の機能Ｆ２−１については、下記３つの構成（構成Ｆ２−１Ａ、構成Ｆ２−１Ｂ、および構成Ｆ２−１Ｃ）を採用することで実現可能である。
【００６１】
・構成Ｆ２−１Ａ
図５と図６は図３のディスプレイ装置を構成する制御手段の説明図である。
【００６２】
構成Ｆ２−１Ａは、制御手段３として、図５に示したように、先に説明した小型ディスプレイＤ２１、Ｄ２２…Ｄ２ｎごとに、例えば映像出力端子とウエブブラウザを搭載した市販のパーソナルコンピュータからなる第１の端末３Ｃ、３Ｃ…を採用し、各第１の端末３Ｃ、３Ｃ…の映像出力端子（図示省略）を対応する小型ディスプレイＤ２１、Ｄ２２…Ｄ２ｎの映像入力端子（図示省略）に接続するものである。
【００６３】
・構成Ｆ２−１Ｂ
構成Ｆ２−１Ｂは、小型ディスプレイＤ２１、Ｄ２２…Ｄ２ｎごとに個別表示するための複数の映像コンテンツをウエブブラウザ上で閲覧可能に作成した図５のウエブサイトＳ３（以下「第３のウエブサイトＳ３」という）を用意し、この第３のウエブサイトＳ３を各第１の端末３Ｃ、３Ｃ…のウエブブラウザで個別に閲覧表示するものである。
【００６４】
・構成Ｆ２−１Ｃ
構成Ｆ２−１Ｃは、各第１の端末３Ｃ、３Ｃ…の映像出力端子から対応する小型ディスプレイＤ２１、Ｄ２２…Ｄ２ｎの映像入力端子に対して、各第１の端末３Ｃ、３Ｃ…のウエブブラウザでの閲覧表示データを個別に出力することにより、そのウエブブラウザでの閲覧表示状態が各小型ディスプレイＤ２１、Ｄ２２…Ｄ２ｎの映像表示面に個別表示されるものとする。
【００６５】
《前記第２の機能Ｆ２−２の実施例》
前記第２の機能Ｆ２−２は、前記第１の機能Ｆ２−１によって個別表示される複数の映像コンテンツ（具体的には、図３（ｂ）の小型ディスプレイＤ２１、Ｄ２２…Ｄ２ｎごとにその映像表示面に個別表示される映像コンテンツＣ）の中から代表として一つの映像コンテンツ（図３（ａ）参照）が例えばスライド形式で繰り返し順次ピックアップされるようにＪａｖａＳｃｒｉｐｔ（登録商標）やｈｔｍｌ言語あるいはＰＨＰ言語でプログラミングされた図５のウエブサイトＳ４（以下「第４のウエブサイトＳ４」という）を用意し、その第４のウエブサイトＳ４を第２の端末３Ｂのウエブブラウザで閲覧表示するものである。
【００６６】
《第２実施形態における制御手段３の他の実施例》
先に説明した第２実施形態における制御手段３では、図５に示したように、小型ディスプレイＤ２１、Ｄ２２…Ｄ２ｎごとに第１の端末３Ｃ、３Ｃ…を備える構成、つまり小型ディスプレイと第１の端末とが１対１で対応する構成を採用したが、これに限定されることはない。
【００６７】
たとえば、図６に示したように、映像出力端子を２つ備えた一台のパーソナルコンピュータで第１の端末３Ｃを構成し、かつ、その２つの映像出力端子のうち、第１の映像出力端子は一つの小型ディスプレイＤ２１の映像入力端子に接続し、第２の映像出力端子は他の小型ディスプレイＤ２２の映像入力端子に接続する構成、および、各映像出力端子から対応する映像入力端子に対して個別に、前述のウエブブラウザでの閲覧表示データが出力される構成を採用するなど、小型ディスプレイと第１の端末とが多対１（本例では、２対１）で対応する構成を採用してもよい。
【００６８】
《第２実施形態を採用した本ディスプレイ装置Ｄの利用例（その１）》
（第２の平面ディスプレイＤ２における異なる映像コンテンツの個別表示）
第２実施形態を採用した本ディスプレイ装置Ｄでは、その利用例として、第２の平面ディスプレイＤ２を構成する複数の小型ディスプレイＤ２１、Ｄ２２…Ｄ２ｎごとに、それぞれの映像表示面において異なる映像コンテンツＣ（図３（ｂ）参照）を個別表示するという利用方法が考えられる。
【００６９】
前記のような異なる映像コンテンツＣの個別表示については、図示は省略するが、制御手段３を構成する端末として、複数の映像出力端子（例えばＨＤＭＩ（登録商標）端子など）を備えた一台のパーソナルコンピュータを端末として用意し、各映像出力端子に対して小型ディスプレイＤ２１、Ｄ２２…Ｄ２ｎを接続し、かつ、各映像出力端子から小型ディスプレイＤ２１、Ｄ２２…Ｄ２ｎに対して異なる映像コンテンツＣのデータを送出する方法が考えられる。この場合、それぞれの映像出力端子から送出する映像コンテンツＣのデータについては、当該端末として用意した前記パーソナルコンピュータに直接保存したものでもよいし、ネットワーク上のクラウドからダウンロードしたものや、前述の第３のウエブサイトからダウンロードしたものでもよく、また、映像コンテンツＣのデータを閲覧可能なウエブサイトからダウンロードしてもよい。
【００７０】
《第２実施形態を採用した本ディスプレイ装置Ｄの利用例（その２）》
（第２の平面ディスプレイＤ２における同一の映像コンテンツの個別表示）
また、第２実施形態を採用した本ディスプレイ装置Ｄでは、第２の平面ディスプレイＤ２を構成する複数の小型ディスプレイＤ２１、Ｄ２２…Ｄ２ｎごとに、それぞれの映像表示面において同一の映像コンテンツ（図示省略）を個別表示するという利用方法も考えられる。
【００７１】
前記のような同一映像コンテンツＣの個別表示については、図示は省略するが、制御手段３として、例えば少なくとも一つの映像出力端子（例えばＨＤＭＩ（登録商標）端子など）を備えた一台のパーソナルコンピュータを端末として用意し、映像出力端子から送出されるコンテンツ映像Ｃのデータを分配器で各小型ディスプレイＤ２１、Ｄ２２…Ｄ２ｎに分配する方式などが考えられる。この場合も、映像出力端子から送出する映像コンテンツＣのデータは、同様に、当該端末として用意した前記パーソナルコンピュータに直接保存したものでもよいし、ネットワーク上のクラウドからダウンロードしたものや、ウエブサイトからダウンロードしたものでもよく、また、映像コンテンツＣのデータを閲覧可能なウエブサイトからダウンロードしてもよい。
【００７２】
《第２実施形態を採用した本ディスプレイ装置Ｄの利用例（その３）》
（第１の平面ディスプレイＤ１における一括表示）
図４（ａ）は図３のディスプレイ装置を構成する第1の平面ディスプレイでの他の表示例の説明図、図４（ｂ）はそのディスプレイ装置を構成する第2の平面ディスプレイでの表示例の説明図である。
【００７３】
第２実施形態を採用した本ディスプレイ装置Ｄでは、図４（ａ）に示したように、先に説明した第２の平面ディスプレイＤ２における同一又は異なる映像コンテンツの個別表示（図４（ｂ）参照）に連動して、第１の平面ディスプレイＤ１の映像表示面全体に、前記複数の小型ディスプレイＤ２１、Ｄ２２…Ｄ２ｎと同じ並び方で同じ内容、同じサイズの映像コンテンツＣを一括表示するという利用方法も考えられる。
【００７４】
前記のような一括表示については、例えば、第２の平面ディスプレイＤ２の映像表示面２に表示される映像コンテンツＣ（図４（ｂ）参照）と同じ並び方で同じ内容、同じサイズの映像コンテンツを図４（ａ）のようにマトリックス状に配置した一つの映像データＣ＿ＡＬＬ（以下「一括表示用のデータＣ＿ＡＬＬ」という）を作成し、作成した一括表示用のデータＣ＿ＡＬＬを端末３Ｂに保存するとともに、当該端末３Ｂの映像出力端子から第１の平面ディスプレイＤ１に対して一括表示用のデータＣ＿ＡＬＬを送出する方式、あるいは（２）その一括表示用のデータＣ＿ＡＬＬをネットワーク上のクラウドに保存するとともに、クラウドから一括表示用のデータＣ＿ＡＬＬを当該端末３Ｂにダウンロードして第１の平面ディスプレイＤ１に送出する方式、若しくは、そのような一括表示用のデータＣ＿ＡＬＬを閲覧可能なウエブサイトから当該データをダウンロードして第１の平面ディスプレイＤ１に送出する方式等を採用してもよい。
【００７５】
前記のような個別表示と一括表示は、同期し同じタイミングで行われるように設定してもよいし、異なるタイミングで行われるように設定してもよい。
【００７６】
以上説明した個別表示と一括表示は、これら全体として２つの映像表示面（具体的には第１及び第２の平面ディスプレイＤ１、Ｄ２それぞれの映像表示面１、２）に共通の映像コンテンツを表示するものである。
【００７７】
ところで、前記のような個別表示と一括表示が同期し同じタイミングで行われるように設定した場合には、本ディスプレイ装置Ｄの表面と裏面の双方の面において同じレイアウトで同じ内容の映像コンテンツを視聴することができ、一の店舗の店内と店外で共通の映像コンテンツを視聴することができる、つまり、店外で見た映像コンテンツと全く同じもの店内でも見ることができる点で、視聴者にとって利便性が良く、また、店内外での同一映像コンテンツのダブル視聴を通じて視聴者に対する印象付けの効果も高いなど、有効な宣伝広告効果が期待できる。また、前記のような個別表示と代表表示が同期し同じタイミングで行われるように設定した場合も、同様に、店外で見た映像コンテンツと全く同じもの店内でも見ることができるから、有効な宣伝広告効果が期待できる。
【００７８】
《第１および第２実施形態の共通構成》
以上説明した第１および第２実施形態において、ピックアップされた映像コンテンツの一部を第１の平面ディスプレイＤ１の映像表示面１全体に全面表示する場合に、その一部は、例えば当該映像コンテンツ中に実際に含まれているタイトルなどのテキスト部分でもよいし、タイトルに対応する画像部分でもよい。
【００７９】
以上説明した第１および第２実施形態において、ピックアップされた映像コンテンツに対応し関連する情報を第１の平面ディスプレイＤ１の映像表示面全体に全面表示する場合に、その関連する情報は、当該映像コンテンツの内容に対応するタイトル等のテキストでもよいし、タイトルに対応する画像でもよい。
【００８０】
以上説明した第１および第２実施形態において、第１の端末３Ａ（３Ｃ）や第２の端末３Ｂのウエブブラウザで第１から第４のウエブサイトＳ１からＳ４を閲覧表示するための具体的な構成については、例えば、インターネット等のネットワークＮを通じてそれぞれのウエブサイトＳ１からＳ４を公開しアクセス可能とする構成、および、それぞれの端末３Ａ、３Ｂ、３ＣがルータＲと当該ネットワークＮを介してそれらのウエブサイトＳ１からＳ４にアクセス可能とする構成を採用すればよい。
【００８１】
以上説明した第１および第２実施形態において、第２の平面ディスプレイＤ２の映像表示面２（第２実施形態では、具体的には各小型ディスプレイＤ２１、Ｄ２２…Ｄ２ｎの映像表示面）にタッチパネルを設け、該タッチパネルの操作によって、当該映像表示面に現在表示されている映像コンテンツＣと関連する別の映像コンテンツ（例えば、その映像コンテンツＣの内容をより詳細な情報を掲載した説明用の映像コンテンツ）を表示する機能、いわゆる詳細表示機能を本ディスプレイ装置Ｄの機能として設けてもよい。
【００８２】
前記のような詳細表示機能を採用した本ディスプレイ装置Ｄによると、例えば、その表側で、第１の平面ディスプレイＤ１に表示されている映像コンテンツＣを見て興味を持ったユーザが、裏側に回って、前述のタッチパネルを操作することで、その映像コンテンツＣに関連する別の映像コンテンツ（例えば前述の説明用の映像コンテンツ）を見ることができるなど、ユーザや映像コンテンツの内容を説明する店員等にとって、大変使い勝手のよいディスプレイ装置が得られる。
【００８３】
《映像コンテンツについて》
第１および第２の平面ディスプレイＤ１、Ｄ２で表示される前述の映像コンテンツＣの具体的な内容としては、例えば不動産関係の広告映像を採用することができる。紙ベースの不動産関係の広告は、近年になってデジタル化が進み、デジタルデータで提供されていることが多いので、そのようなデジタルデータを不動産関係の広告映像として採用し第１および第２の平面ディスプレイＤ１、Ｄ２で表示してもよい。また、不動産関係の広告映像以外の他の様々な業種の広告映像を映像コンテンツＣとして第１および第２の平面ディスプレイＤ１、Ｄ２で表示してもよい。要するに、第１および第２の平面ディスプレイＤ１、Ｄ２でどのような業種の映像コンテンツＣを表示するか、この点について限定されることはない。
【００８４】
ところで、現在、不動産業界では、それぞれの店舗における日常業務として、（１）賃貸物件等の宣伝広告チラシを物件ごとに個別に紙に印刷する作業、（２）印刷した物件ごとの宣伝広告チラシを表裏両方向から見えるように重ねて一枚のクリアファイルに収容する作業、（３）収容したクリアファイルを店頭のＦＩＸガラス面に吊り下げる作業、（４）それぞれの物件の入居者、購入者が決まった場合又は新たに物件を仕入れた場合のように、宣伝広告チラシの変更をする場合は、募集図面を作成し、宣伝広告チラシを印刷し、クリアファイル内の宣伝広告チラシを差し替える作業など、手間のかかる複数の作業を週１回のペースで行っているのが実情である。
【００８５】
前記のような手間のかかる作業を全部省略でき、かつ、人件費削減ひいては働き方改革に貢献するのに効果的な手段として、本ディスプレイ装置Ｄはその意義を有している。
【００８６】
この点をもう少し詳細に説明すると、本ディスプレイ装置Ｄを例えば店頭のＦＩＸガラス面付近に配置し、かつ、その表裏両面の映像表示面１、２（具体的には第１の平面ディスプレイＤ１の映像表示面１と第２の平面ディスプレイＤ２の映像表示面２）に映像コンテンツＣとして賃貸物件等の宣伝広告チラシ映像を表示するように設定した場合は、そのような表裏両面の映像表示面１、２に表示される映像コンテンツＣが前述のクリアファイルに収容した宣伝広告チラシとして機能すること、および、かかる映像コンテンツＣはデジタルデータなので、当該データの変更・書換えという簡単かつ瞬間的な操作だけで、すべての映像コンテンツＣの内容、すなわち宣伝広告チラシを更新できることから、本ディスプレイ装置Ｄは、不動産業界に革命をもたらし、人件費削減、ひいては働き方改革に貢献し得るという利点がある。
【００８７】
また、本店から支店に情報をデジタルデータ化して発信する業界において本ディスプレイ装置Ｄを採用した場合には、支店では本店から送信されてきた当該情報のデジタルデータを受信しそのまま映像コンテンツＣとして店舗の内外両側に向けて表示をすることができ、どの同業他社よりも先に新規な情報を発信できる等、情報戦略において情報優勢を獲得し得るという利点がある。
【００８８】
さらに、以上説明した利点は、例えば証券業界、コンビニエンスストアやスーパーマーケット等の商品販売業界、衣類販売のアパレル業界など、現在、宣伝広告等の各種情報を紙に印刷して店頭に貼り付けている業界において、本ディスプレイ装置Ｄを採用した場合も同様である。
【００８９】
また、本ディスプレイ装置Ｄは、また商品、商材、若しくはイベント等の企画のプレゼンテーションにおける情報表示ツールとして利用することもできる。この場合、プレゼンターによる前述のタッチパネルの操作によって、第１の平面ディスプレイＤ１の映像表示状態が切り換るように構成してもよい。さらに、本ディスプレイ装置Ｄを設置して利用する場所は特に限定されない。例えば、コンサート会場やイベント会場、各種集会等、多くの人が集まる場所に本ディスプレイ装置Ｄを置いて利用してもよい。
【００９０】
本発明は、以上説明した実施形態に限定されるものではなく、本発明の技術的思想内で当分野において通常の知識を有する者により多くの変形が可能である。
【００９１】
例えば先に説明した第１ないし第４のウエブサイトＳ１、Ｓ２、Ｓ３、Ｓ４は一例であり、これら以外の各種業種のウエブサイトに存在する静止画像や動画等のコンテンツを端末３Ａ、３Ｂ、３Ｃのウエブブラウザでアクセスし閲覧表示することで、そのウエブブラウザでの閲覧表示状態が平面ディスプレイＤ１、Ｄ２、Ｄ２１…の映像表示面に表示されるように構成してもよい。
【００９２】
例えば、本ディスプレイ装置Ｄは蛇腹（アコーデオン）式の折畳み可能な構造を採用してもよい。
【符号の説明】
【００９３】
１、２  映像表示面
３  制御手段
３Ａ、３Ｂ、３Ｃ  端末
Ｃ  映像コンテンツ
Ｄ  ディスプレイ装置
Ｄ１  第１の平面ディスプレイ
Ｄ２  第2の平面ディスプレイ
Ｄ２１、Ｄ２２、…、Ｄ２８、Ｄ２ｎ  小型ディスプレイ
Ｎ  ネットワーク
Ｒ  ルータ
Ｓ１、Ｓ２、Ｓ２、Ｓ４  ウエブサイト
【要約】
【課題】一つの店舗の店内と店外で共通の映像コンテンツを視聴することが可能な宣伝広告効果の高いディスプレイ装置を提供する。
【解決手段】ディスプレイ装置Ｄは、表裏両面の映像表示面１、２と、これら表裏両面の映像表示面１、２に対して共通内容の映像コンテンツＣが表示されるように当該映像表示面１、２の表示状態を制御する制御手段３と、を備える。表裏両面の映像表示面１、２は、その映像表示面１、２を備えた第１の平面ディスプレイＤ１と第２の平面ディスプレイＤ２との貼合せによって形成された構造になっていてもよい。また、第２の平面ディスプレイＤ２は、第１の平面ディスプレイＤ１に比べて縦横寸法の小さい小型ディスプレイＤ２１、Ｄ２２…Ｄ２ｎを、第１の平面ディスプレイＤ１の縦横方向に沿って複数並べて配置したマトリックス構造になっていてもよい。
【選択図】図１【図１】
0006771796.tif 000002
【図２】
0006771796.tif 000003
【図３】
0006771796.tif 000004
【図４】
0006771796.tif 000005
【図５】
0006771796.tif 000006
【図６】
0006771796.tif 000007